(57)【要約】      （修正有）【課題】発火時において消火作業が極めて容易に、かつ迅速，確実にでき、取扱性や保管性がよく、安価に実施できる消火用シートを提供する。【解決手段】消火用シート１は布地２とこの四隅に一体的に形成されるポケット３とからなる。消火時には消火用シート１を水に浸け、ポケット３に手の平に入れて発火体の火の上にかぶせることにより消火が確実にできる。【選択図】図１
0003119462.tif 000002
【実用新案登録請求の範囲】
【請求項１】
発火物からの初期発火を消火するための簡便の消火用シートであって、該シートは、折り畳み可能で水分を保水し得る布地からなり、隅部には手の平の挿脱可能なポケットが一体的に形成されることを特徴とする消火用シート。
【請求項２】
前記布地が、風呂敷状の四角形状のものからなり、その四隅にポケットが形成されるものからなることを特徴とする請求項１に記載の消火用シート。
【請求項３】
前記布地は、折り畳まれて袋体内に収納されて着脱又は挿脱可能な部位に保管するものからなることを特徴とする請求項１又は２に記載の消火用シート。
【考案の詳細な説明】
【技術分野】
【０００１】
本考案は、家庭の台所等における初期発火を迅速に消火し得る消火用シートに係り、特に、簡便，軽量で小スペースに保管でき、使用時には誰でもが簡単に使用でき、確実な消火が危険なく実施できる消火用シートに関する。
【背景技術】
【０００２】
例えば、家庭の台所等においてはガスレンジがあり、これにより天ぷらを揚げたり、油で「いためもの」をしたりすることが多い。また、台所に限らず不注意により発火する発火物が日常生活においては山積している。
従来では、発火が生じた場合は、消火器を用いて消火するものや布地に水等をふくませて発火体を被包して消火する手段が一般的に採用されていた。
また、消火シートに関する公知技術としては「引用文献１」や「引用文献２」等が挙げられる。
【特許文献１】実用新案登録第３０９３２２３号（図１）
【特許文献２】特開平１０−２０１８７１号（図１）
【考案の開示】
【考案が解決しようとする課題】
【０００３】
「特許文献１」の「実用新案登録請求の範囲」の「消火用シート」は、シート状物の中央部内側に吸液性の材料を設けたもので簡便なものではあるが「吸液性の材料」を使用するため高価なものとなると共に簡単に折り畳みできず狭いスペースに保管することが難しい問題点がある。また、何回も使用することができない問題点もある。
また、「特許文献２」の「特開平１０−２０１８７１号」の「消火シート」は、シート状体の中空部内に粉末消火剤を封入したものであり、構成は前記の「引用文献１」  のものとほぼ同様であり、ほぼ同様の問題点を有する。
また、一般に使用されている消火器は大型のもの小型のものや取扱性のよいものと各種形態のものがあるが、比較的重量物であり、一般的に取扱性もよくなく、保管場所もまちまちであり、急な発火時には間に合わない問題点がある。また、長時間使用していないと劣化し、本来の消火機能を発揮し得ない問題点がある。また、繰返し使用も困難である。
【０００４】
発火時において、消火作業は早ければ早いだけ被害が少なく消火作業も容易にできるが、発火時において消火用の器具や物（シート）が簡単に、素早く入手でき只ちに消火作業に入ることができるものが必要である。また、取扱性や保管性もよく、何回も使用でき簡便，安価に実施できる消火手段が要請されている。
【０００５】
本考案は、以上の事情に鑑みて考案されたものであり、簡便，安価に実施でき、取扱性や保管性もよく消火作業が誰でもができ、安全であり、かつ複数回の使用ができる消火用シートを提供することを目的とする。
【課題を解決するための手段】
【０００６】
本考案は、以上の目的を達成するために、請求項１の考案は、発火物からの初期発火を消火するための簡便の消火用シートであって、該シートは、折り畳み可能で水分を保水し得る布地からなり、隅部には手の平の挿脱可能なポケットが一体的に形成されることを特徴とする。
【０００７】
また、請求項２の考案は、前記布地が、風呂敷状の四角形状のものからなり、その四隅にポケットが形成されるものからなることを特徴とする。
【０００８】
また、請求項３の考案は、前記布地は、折り畳まれて袋体内に収納されて着脱又は挿脱可能な部位に保管するものからなることを特徴とする。
【考案の効果】
【０００９】
本考案の請求項１の消火用シートによれば、本考案の消火用シートは保水性の布地からなり、発火時にはこの布地を水につけて只ちに発火物を被包又は被覆することにより確実な消火できる。また、折り畳み自在なため保管もし易い。更に、使用後、天日等に干し、再利用することができる。
【００１０】
また、本考案の請求項２の消火用シートによれば、四隅のポケットのいずれか１つ又は２つに手の平に挿入して消火作業をすることにより火傷等が防止され安全性が確保される。
【００１１】
また、本考案の請求項３の消火用シートによれば、布地を袋体に挿入することにより狭路に保管でき使用に便利な場所に保管することができる。
【考案を実施するための最良の形態】
【００１２】
図１は本考案の消火用シート１の展開時の形態を示す斜視図である。消火用シート１は本実施例では四角状の布地２とこの四隅に固着されるポケット３とからなる。布地２の種類としては任意のものでよいが、水を含水し得る形態のものが望ましい。ポケット３は消火用シート１の消火時において手の平の挿脱可能の大きさのものからなり、消火作業の作業者の火傷等の発生を防止するためのものである。なお、この消火用シートは使用時に水につけてウエット状で使用するものであり、一般の火力では燃えないため、使用後に天日等に干して水分を除去すれば再使用可能な状態となる。
【００１３】
この消火用シート１は不使用時には邪魔にならないように図２に示すように袋体４内に収納することが望ましい。この袋体４の収納場所としては図３に示す台所５の柱６やその近傍にある冷蔵庫７の周辺に吊下げ又は収納することが望ましい。なお、使用時には水につける必要があるため風呂場の近くに保管するものでもよい。
【００１４】
次に本考案の消火用シート１を用いた消火方法について説明する。
発火時には図３に示してある保管場所から袋体４を取り外し又は取り出し、図４（ａ）に示すように袋体４から消火用シート１を取り出して広げる
次に、図４（ｂ）に示すように水８内に全体を浸けて消火用シート１全体を水びたしの状態にする。次に、図５（ａ）に示すように、この消火用シート１のポケット３内に手を入れ、図５（ａ），（ｂ）に示すように、発火体９の火１０の上に覆せる。この作業により、消火用シート１に発火体９は被包され、消火用シート１の水分の影響を受けて発火は鎮火することになる。
以上のように本考案の消火用シート１は特別な物質を保有しているものでなく、取扱性のよい簡便，安価な布体からなり、発火時に水に浸けるだけの簡単な動作によって鎮火を確実に行なうことができるものであり、どの家庭でも保有でき、保管も極めて用意であり発火時の対応も迅速に、かつ円滑に行われる。以上の説明では火災発生後に消火用シート１を水につけるようにしたが、予め水につけた消火用シート１を袋体４に入れてこの状態で保管しておいてもよい。これにより、火災発生に対して更に速やかに対応することができる。
【００１５】
また、本考案の消火用シート１は任意の布地２からなるが、耐火性の強い布地がより望ましい。
【産業上の利用可能性】
【００１６】
本考案の消火用シート１は、家庭内の台所における発火の消火に関するものだけでなく、発火物のあるすべての場所に使用され、その利用範囲は広い。
【図面の簡単な説明】
【００１７】
【図１】本考案の消火用シートの全体構造を示す斜視図。
【図２】消火用シートを収納する袋体を示す模式斜視図。
【図３】家庭の台所の模式図。
【図４】発火時の消火作用を説明するための模式図（ａ），（ｂ）。
【図５】発火時の消火作用を説明するための模式図（ａ），（ｂ）。
【符号の説明】
【００１８】
１    消火用シート
２    布地
３    ポケット
４    袋体
５    台所
６    柱
７    冷蔵庫
８    水
９    発火体
１０  火
【図１】
0003119462.tif 000003
【図２】
0003119462.tif 000004
【図３】
0003119462.tif 000005
【図４】
0003119462.tif 000006
【図５】
0003119462.tif 000007